(57)【要約】      （修正有）【課題】乗馬時の上下，前後運動の動作と左右に搖動する動作を模擬でき、且つ乗馬における運動効果が得られるようにした乗馬型運動器具を提供する。【解決手段】ベースフレーム１と上端部に取付板１１を備えた立設フレーム１０と、取付板上面に固定された基板２と、基板に固定された固定フレーム３及び固定台座と、固定台座間に配設された連動回動軸、スライダ、及び搖動座６とを備え、各部材を覆う上面部に着座用パッド８０を備えたハウジング８からなる。基板２には、駆動モータ２０が設けられ、搖動座６が上下，前後へ変位し、また、連動回動軸が回転することにより、スライダが左右に摺動するように連動され、搖動座６が左右へ変位するように連動される。【選択図】図１
0003132137.tif 000002
【実用新案登録請求の範囲】
【請求項１】
上端部に取付板を備えた立設フレームが固定されるベースフレームと、
前記取付板の上面に固定された基板と、
該基板の左，右側端部に対応固定された一対の固定台座及び前記側端部を延長突出させた突出部に固定される固定フレームと、
前記各固定台座間にベアリングを介して配設され、一端に大ウォームホイールを有し、且つ中央部にねじれ係合部を有する連動回動軸と、
前記各固定台座の上部に固設された一対の固定座に横方向に貫設された２本のガイドバーが設けられ、前記２本のガイドバーには、上面部にガイドスロットが設けられ、且つ底面部には前記連動回動軸のねじれ係合部内に係合する突出部が設けられたスライダと、
前記スライダの上方に位置し、前記ガイドスロットに連動配設されるプッシュロッドを備えた搖動座と、
前記揺動座の下面側には左右方向に向けて、所定間隔で前方軸座及び後方軸座に配設された前方回動軸を有する前方偏心軸および後方回動軸を有する後方偏心軸を設け、かつ前記前方回動軸の左、右端部にはそれぞれ小ウォームホイールと大歯車を配設してなり、
前記基板に配設さられた駆動モータの駆動力を前記固定フレームに取付けた従動歯車に伝達し、且つ従動歯車の駆動力を前記搖動座の下方に設けた前方回動軸に伝達し、前方回動軸の回転により、搖動座が上下，前後へ変位すると同時に、前方回動軸の他端に位置する小ウォームホイルにより、互いに噛合う連動回動軸の大ウォームホイルも回転し、該大ウォームホイルにより、連動回動軸が連動されて回転され、該連動回動軸上の押しブロックも回転し、押しブロックが回転すると、スライダの突出部が、押しブロックの螺旋状のねじれ係合部内を摺動するようになっていると共に、前記各部材の外部がハウジングで覆われるようになっていることを特徴とする乗馬型運動器具。
【請求項２】
前記ハウジングの上部に着座用のパッドが設けられ、該パッドの前方には制御パネル及び上方に伸張する握り部が設けられると共に、前記ハウジングの両側にはそれぞれ鐙が設けられ、該鐙には長さ調節用の複数の係合穴が設けられていることを特徴とする請求項１に記載の乗馬型運動器具。
【考案の詳細な説明】
【技術分野】
【０００１】
本考案は、乗馬型運動器具に関し、特に、乗馬時の上下，前後に運動する動作と左右に搖動する動作を模擬でき、乗馬の運動効果が得られるようにした乗馬型運動器具に関する。
【背景技術】
【０００２】
乗馬運動は、身体に優れた運動効果を与え、１０分間の乗馬運動で１０万回のマッサージに相当するようなマッサージ効果が得られると言われ、乗馬時の律動により、腰痛や背痛、頭痛、及び肩頚凝り等の身体の症状を改善できる。
また、馬術治療は、数十年前からリハビリに利用され、乗馬の治療により、患者の姿勢が矯正されて、平衡や協調性が良くなる。また、脳部を刺激して、四肢の機能回復や、四肢機能に障害のある児童の回復にも、良い效果が得られる。
また、乗馬運動は、身体曲線をシェイプアップしたり、小腹余肉を低減することや、ダイエット及び痩身効果もある。そのため、女性や子供に人気があるが、乗馬は、実践場所や乗馬用の馬が必要であるという条件に制限され、何時でも何処でも乗馬することができるというわけにいかず、また、乗馬に掛かる費用は非常に高いので、一般人が気軽に利用するのはなかなか難しい。
【考案の開示】
【考案が解決しようとする課題】
【０００３】
本考案の主な目的は、乗馬時の上下，前後運動の動作と左右に搖動する動作を模擬でき且つ乗馬における運動効果が得られるようにした乗馬型運動器具を提供することを目的とする。
【課題を解決するための手段】
【０００４】
本考案の請求項１に係る乗馬型運動器具は、上端部に取付板を備えた立設フレームが固定されるベースフレームと、前記取付板の上面に固定された基板と、該基板の左，右側端部に対応固定された一対の固定台座及び前記側端部を延長突出させた突出部に固定される固定フレームと、前記各固定台座間にベアリングを介して配設され、一端に大ウォームホイールを有し、且つ中央部にねじれ係合部を有する連動回動軸と、前記各固定台座の上部に固設された一対の固定座に横方向に貫設された２本のガイドバーが設けられ、前記２本のガイドバーには、上面部にガイドスロットが設けられ、且つ底面部には前記連動回動軸のねじれ係合部内に係合する突出部が設けられたスライダと、前記スライダの上方に位置し、前記ガイドスロットに連動配設されるプッシュロッドを備えた搖動座と、前記揺動座の下面側には左右方向に向けて、所定間隔で前方軸座及び後方軸座に配設された前方回動軸を有する前方偏心軸および後方回動軸を有する後方偏心軸を設け、かつ前記前方回動軸の左、右端部にはそれぞれ小ウォームホイールと大歯車を配設してなり、前記基板に配設さられた駆動モータの駆動力を前記固定フレームに取付けた従動歯車に伝達し、且つ従動歯車の駆動力を前記搖動座の下方に設けた前方回動軸に伝達し、前方回動軸の回転により、搖動座が上下，前後へ変位すると同時に、前方回動軸の他端に位置する小ウォームホイルにより、互いに噛合う連動回動軸の大ウォームホイルも回転し、該大ウォームホイルにより、連動回動軸が連動されて回転され、該連動回動軸上の押しブロックも回転し、押しブロックが回転すると、スライダの突出部が、押しブロックの螺旋状のねじれ係合部内を摺動するようになっていると共に、前記各部材の外部がハウジングで覆われるようになっていることを特徴とする。
【０００５】
請求項２の考案は、請求項１に記載の乗馬型運動器具において、前記ハウジングの上部に着座用のパッドが設けられ、該パッドの前方には制御パネル及び上方に伸張する握り部が設けられると共に、前記ハウジングの両側にはそれぞれ鐙が設けられ、該鐙には長さ調節用の複数の係合穴が設けられていることを特徴とする。
【考案の効果】
【０００６】
本考案は、上記構成により、乗馬時の律動や速度を模擬でき、使用する場所や時間が制限されるということが無く、また、コストを大幅に低減でき、脊椎障害や脳卒中、或いは自閉症の患者に対して回復効果が得られる。
また、患者の姿勢を有効に矯正できるため、平衡や協調性が良くなり、また、脳部を刺激することにより、四肢機能の回復だけでなく、四肢機能に障害のある児童の回復にも良い效果が得られる。
また、身体曲線をシェイプアップしたり、小腹余肉を低減したり、ダイエット及び痩身等にも効果がある。
【考案を実施するための最良の形態】
【０００７】
以下、本考案の乗馬型運動器具に係る一実施例について添付図面を基に説明する。
【実施例】
【０００８】
図１〜５は本考案の乗馬型運動器具の一実施例を示すもので、図１は乗馬型運動器具の組み立て状態における全体斜視図で、内部駆動機構を実線で示し、外形形状を破線で示している。
【０００９】
図中、１は、ほぼＵ字形状に湾曲形成されたベースフレームで、該ベースフレーム１には立設フレーム１０が設けられており、上端部に取付板１１が固設されている。前記取付板１１の上面には基板２が取り付けられており、基板２の後方部に駆動歯車２１を有する駆動モータ２０が配設してある。
【００１０】
前記基板２の両側端部には、対応して１対の固定台座２２，２３が設けられ、該２つの固定台座２２，２３には、複数のベアリング嵌合溝２４，２５，２６が設けてあり、その中の１つの固定台座２３に収納室２７が設けられている。
【００１１】
２つの固定台座２２，２３には固定部材２８，２９が固設されるようになっている。そして、前記固定台座２２の右側の側端部には基板２を延長突出させた突出部２ａが形成され、この突出部２ａ上面に固定フレーム３が固定され、この固定フレーム３に従動歯車３０と小歯車３１が回動自在に取り付けられている。
更に、前記従動歯車３０には駆動ベルト３２が配設され、また、小歯車３１には従動ベルト３３が配設されている。
【００１２】
前記基板２の両端に配設した２つの固定台座２２，２３には、ベアリング４０に軸支された連動回動軸４が配設され、前記連動回動軸４の一端には、大ウォームホイル４１が取り付けてあり、該大ウォームホイル４１は、固定台座２３の収納室２７内に収納設置される。
【００１３】
また、前記連動回動軸４のやや中間には、大径の押しブロック４２が設けられ、該押しブロック４２に、螺旋状のねじれ係合部４３が設けられている。
前記連動回動軸４の上方に位置するように、前記固定台座２２，２３の上部に固設された一対の固定座５１，５１に横方向に貫設された２本のガイドバー５０が設けられている。また前記２本のガイドバー５０には、上面部にガイドスロット５２が設けられ、底面部に突出部５３が設けられたスライダ５が配設してあり、該突出部５３が、前記連動回動軸４のねじれ係合部４３内に係合移動するようになっている。
また、前記基板２の上方に対応して設けられた前記固定台座２２，２３の上部に形成されたベアリング嵌合溝２５，２６には、後述のベアリング６４及びベアリング６９が軸支される。
【００１４】
前記ベアリング６４は、前方および後方に前方軸座６０及び後方軸座６１を備え、前方軸座６０内には前方偏心軸６２が設けられ、該前方偏心軸６２の両端には、前方回動軸６３が突出し、該前方回動軸６３の軸心と前方偏心軸６２の軸心とが、偏心状態になっている。
前方回動軸６３の両端の近くには、それぞれベアリング６４が設けられており、且つ該前方回動軸６３の一端には大歯車６５が設けられていると共に、他端には、小ウォームホイル６６が設けられている。
【００１５】
また、前記後方軸座６１内には、後方偏心軸６７が設けられ、該後方偏心軸６７の両端に、後方回動軸６８が突出し、該後方回動軸６８の軸心と後方偏心軸６７の軸心とが、偏心状態になる。
前記後方回動軸６８の両端には、それぞれベアリング６９が設けられている。前記前方軸座６０及び前記後方軸座６１の上方には搖動座６が設置され、該搖動座６内には、前後方向に配設されたプッシュロッド７が設けられている。
【００１６】
更に、上記の各部材の外部を覆うように、着座用のパッド８０が設けられ、パッド８０の前方には、制御パネル８１が設けられ、上方には、握り部８２が設けられている。更に、前記パッド８０の下方にはハウジング８が設けられ、ハウジング８の両側にはそれぞれ、複数の係合穴８４が設けられたつりベルトに連結された鐙８３が設けられている。
【００１７】
本考案の乗馬型運動器具を組み立てる時には、図１〜５に示すように、基板２をベースフレーム１の取付板１１に固定して、固定フレーム３を基板２に固定する。次に、駆動ベルト３２を駆動歯車２１と従動歯車３０間に配設することで、駆動モータ２０の駆動力を伝達できるようにする。
更に、連動回動軸４を基板２に設けた固定台座２２，２３に、二つのベアリング４０を介して取り付けることで、連動回動軸４の大ウォームホイル４１が、固定台座２３の収納室２７内に収納設置される。
【００１８】
次に、スライダ５を、連動回動軸４の上方に設置し、該スライダ５の２つの固定座５１を、基板２の２つの固定台座２２，２３の上面部に固設する。これらの固定座５１及び固定台座２２，２３により、連動回動軸４のベアリング４０が位置決めされる。
また、前記固定座５１間に配設されたガイドバー５０に摺動自在に取り付けられたスライダ５の底部の突出部５３を、前記連動回動軸４のねじれ係合部４３内に係合設置する。
【００１９】
そして、搖動座６を基板２の上方に設置し、該搖動座６の前方回動軸６３上のベアリング６４を、二つの固定台座２２，２３上のベアリング嵌合槽２５内に設置する。また、後方回動軸６８上のベアリング６９が、二つの固定台座２２，２３上のベアリング嵌合槽２６内に設置され、前方回動軸６３の一端に位置する小ウォームホイル６６を、固定台座２３の収納室２７内に収容設置し、前記連動回動軸４の大ウォームホイル４１と噛合うようにする。
【００２０】
また、前方回動軸６３の他端に固定された大歯車６５が、固定台座２２の外側に位置し、また、従動ベルト３３を介して小歯車３１の駆動力を大歯車６５に伝達する。前記搖動座６内のプッシュロッド７を、スライダ５のガイドスロット５２内に設置し、前記固定部材２８，２９によって、それぞれ基板２の２つの固定台座２２，２３に固設する。
【００２１】
上記の各部材を基板２に固定してから、上面に着座用のパッド８０、制御パネル８１、握り部８２が設けられたハウジング８を上記の各部材の外部に組み立てると、図１のように、乗馬型運動器具の組み立てが完成される。
【００２２】
以上のように組み立てられた本考案の乗馬型運動器具の使用にあたっては、図１〜１２のように、ユーザーは、鐙８３上の係合穴８４を利用して、自分の身長に合わせて鐙８３の足掛け位置の高さを調整する。次に、ユーザーが制御パネル８１上の電源スイッチをＯＮにすると、基板２上の駆動モータ２０が駆動を始め、駆動モータ２０の駆動歯車２１により駆動ベルト３２が連動され、この駆動ベルト３２により、従動歯車３０が転動するように連動され、該従動歯車３０により、小歯車３１が転動するように連動される。
【００２３】
小歯車３１は、従動ベルト３３により、大歯車６５を転動するように連動し、該大歯車６５の転動により、搖動座６の前方回動軸６３が連動回転する。
前方回動軸６３が回転すると、搖動座６の前方軸座６０内に貫設される前方偏心軸６２が前方回動軸６３を軸心として偏心回転し、前方偏心軸６２の軸心が９０度回転すると（図７のように）、前方偏心軸６２により、搖動座６の前方部が前方へ且つやや上方へ回転するように連動される。
【００２４】
また、後方偏心軸６７もそれとともに回転し、また、前方偏心軸６２の軸心が回転して前方回動軸６３の上死点に位置すると（図８のように）、前方偏心軸６２により、搖動座６の前方部が上方へ且つやや後方へ回転するように連動される。
また、後方偏心軸６７により、搖動座６がやや下方へ回転するように連動され、これにより、搖動座６が傾斜状態になる。
【００２５】
また、前方偏心軸６２の軸心が２７０度に回転すると（図９のように）、前方偏心軸６２により、搖動座６の前方部が後方へ且つやや下方へ回転するように連動される。
【００２６】
また、後方偏心軸６７も回転し、前方偏心軸６２の軸心が前方回動軸６３の下死点の位置まで回転すると（図６のように）、前方偏心軸６２により、搖動座６の前方部が下方へ且つやや前方へ回転するように連動される。
また、後方偏心軸６７により、搖動座６がやや下方へ回転し、これにより、搖動座６が元の位置に戻って水平になり、そのため、連続的な回転動作により、搖動座６が上下，前後へ変位する。
【００２７】
また、前方回動軸６３の回転により、搖動座６が上下，前後へ変位することと同時に、前方回動軸６３のもう一端に位置する小ウォームホイル６６により、互いに噛合う大ウォームホイル４１も回転し、該大ウォームホイル４１により、連動回動軸４が連動されて回転され、該連動回動軸４上の押しブロック４２も回転し、押しブロック４２が回転すると、スライダ５の突出５３が押しブロック４２の螺旋状のねじれ係合部４３内を摺動する。
【００２８】
また、スライダ５が摺動するように連動され（図１０〜１２のように）、スライダ５がガイドスロット５２内に係合されたプッシュロッド７により係止されることにより、搖動座６が摺動するように連動され、連動回動軸４が一周の回転をすると、そのスライダ５により、搖動座６が左から右へ摺動するように連動される。（図１２参照）
また、連動回動軸４が連動されて、一周回転すると、スライダ５により、搖動座６が右から左へ摺動するように連動される。（図１０参照）
前方回動軸６３により、搖動座６が上下，前後に変位すると同時に、左右へ摺動し、これにより、搖動座６が左右に搖動し、そのため、駆動モータ２０が作動するとともに、搖動座６が上下，前後へ変位しながら左右へ搖動する。そのため、乗馬運動を模擬する效果が得られる。
【００２９】
本考案は、上記構成により、乗馬時の律動や速度を模擬でき、使用する場所や時間に制限されることが無く、また、コストを大幅に低減でき、脊椎障害や脳卒中、或いは自閉症の患者に対しても回復効果が得られる。
また、患者の姿勢を有効に矯正できるので、平衡や協調性が良くなり、また、脳部を刺激することで、四肢機能の回復だけでなく、四肢機能に障害のある児童の回復にも良い效果が得られる。
更にまた、身体曲線をシェイプアップしたり、小腹余肉を低減したり、やダイエット及び痩身にも効果がある。
【図面の簡単な説明】
【００３０】
【図１】本考案の乗馬型運動器具の一実施例を示す全体斜視図で、内部駆動機構を実線で示し、外形形状を破線で示している。
【図２】本考案の乗馬型運動器具の一実施例を示す要部の分解斜視図。
【図３】図３の乗馬型運動器具の要部の組み立て斜視図。
【図４】図１の側面概念図。
【図５】図１の正面概念図
【図６】本考案の実施例における前方偏心軸の軸心が前方回動軸の下死点に位置する時の動作概念図。
【図７】本考案の実施例における前方偏心軸が９０度回転する時の動作概念図。
【図８】本考案の実施例における前方偏心軸の軸心が前方回動軸の上死点に位置する時の動作概念図。
【図９】本考案の実施例における前方偏心軸が２７０度回転する時の動作概念図。
【図１０】本考案の実施例におけるスライダが左側に位置する時の概念図。
【図１１】本考案の実施例におけるスライダが中央中間まで摺動する時の概念図。
【図１２】本考案の実施例におけるスライダが右側に位置する時の概念図。
【符号の説明】
【００３１】
１        ベースフレーム
１０      立設フレーム
１１      取付板
２        基板
２０      駆動モータ
２１      駆動歯車
２２      固定台座
２３      固定台座
２４      ベアリング嵌合槽
２５      ベアリング嵌合槽
２６      ベアリング嵌合槽
２７      収納室
２８      固定部材
２９      固定部材
３        固定フレーム
３０      従動歯車
３１      小歯車
３２      駆動ベルト
３３      従動ベルト
４        連動回動軸
４０      ベアリング
４１      大ウォームホイル
４２      押しブロック
４３      ねじれ係合部
５        スライダ
５０      ガイドバー
５１      固定台座
５２      ガイドスロット
５３      突出部
６        搖動座
６０      前方軸座
６１      後方軸座
６２      前方偏心軸
６３      前方回動軸
６４      ベアリング
６５      大歯車
６６      小ウォームホイル
６７      後方偏心軸
６８      後方回動軸
６９      ベアリング
７        プッシュロッド
８        ハウジング
８０      パッド
８１      制御パネル
８２      握り部
８３      鐙
８４      係合穴
【図１】
0003132137.tif 000003
【図２】
0003132137.tif 000004
【図３】
0003132137.tif 000005
【図４】
0003132137.tif 000006
【図５】
0003132137.tif 000007
【図６】
0003132137.tif 000008
【図７】
0003132137.tif 000009
【図８】
0003132137.tif 000010
【図９】
0003132137.tif 000011
【図１０】
0003132137.tif 000012
【図１１】
0003132137.tif 000013
【図１２】
0003132137.tif 000014